(57)【要約】  風圧等によってドアに外力が作用した場合であっても、ドアの変位を適切に抑制することができるエレベーターのドア装置を提供する。  本ドア装置は、ドアハンガーに回転自在に設けられたハンガーローラ及び振れ止めローラと、ドアレールを支持する支持体と、ドアハンガーに設けられた変位抑制装置とを備える。変位抑制装置は、ハンガーローラの軸方向にドアが変位することを抑制するためのものである。変位抑制装置は、ドアの開閉に伴い、支持体の一部の一側面に接触しながら回転する第１ガイドローラと、ドアの開閉に伴い、支持体の一部の他側面に接触しながら回転する第２ガイドローラとを備えている。
2012086069.tif 000002
【特許請求の範囲】
【請求項１】
エレベーター出入口の上方に設けられたドアレールと、
前記出入口を開閉するためのドアと、
前記ドアを吊り下げるドアハンガーと、
前記ドアハンガーに回転自在に設けられ、前記ドアレールの上面を転がることにより、前記ドアの開閉を案内するハンガーローラと、
前記ドアハンガーに設けられ、前記ドアの開閉に伴い、前記ドアレールの下面に接触しながら回転する振れ止めローラと、
前記ドアレールを支持し、その一部が、前記ドアレールに沿って配置された支持体と、
前記ドアハンガーに設けられ、前記ハンガーローラの軸方向に前記ドアが変位することを抑制するための変位抑制装置と、
を備え、
前記変位抑制装置は、
前記ドアの開閉に伴い、前記支持体の前記一部の一側面に接触しながら回転する第１ガイドローラと、
前記ドアの開閉に伴い、前記支持体の前記一部の他側面に接触しながら回転する第２ガイドローラと、
を備えたエレベーターのドア装置。
【請求項２】
エレベーター出入口の上方に設けられたドアレールと、
前記出入口を開閉するためのドアと、
前記ドアを吊り下げるドアハンガーと、
前記ドアハンガーに回転自在に設けられ、前記ドアレールの上面を転がることにより、前記ドアの開閉を案内するハンガーローラと、
前記ドアレールを支持し、その一部が、前記ドアレールに沿って配置された支持体と、
前記ドアハンガーに設けられ、上下方向及び前記ハンガーローラの軸方向に前記ドアが変位することを抑制するための変位抑制装置と、
を備え、
前記変位抑制装置は、
前記ドアの開閉に伴い、前記支持体の前記一部の下面に接触しながら回転する振れ止めローラと、
前記ドアの開閉に伴い、前記支持体の前記一部の一側面に接触しながら回転する第１ガイドローラと、
前記ドアの開閉に伴い、前記支持体の前記一部の他側面に接触しながら回転する第２ガイドローラと、
を備えたエレベーターのドア装置。
【請求項３】
エレベーター出入口の上方に設けられたドアレールと、
前記出入口を開閉するためのドアと、
前記ドアを吊り下げるドアハンガーと、
前記ドアハンガーに回転自在に設けられ、前記ドアレールの上面を転がることにより、前記ドアの開閉を案内するハンガーローラと、
前記ドアハンガーに設けられ、前記ドアの開閉に伴い、前記ドアレールの下面に接触しながら回転する振れ止めローラと、
前記ドアハンガーに設けられ、前記ハンガーローラの軸方向に前記ドアが変位することを抑制するための変位抑制装置と、
を備え、
前記変位抑制装置は、
前記ドアの開閉に伴い、前記ドアレールの一側面に接触しながら回転する第１ガイドローラと、
前記ドアの開閉に伴い、前記ドアレールの他側面に接触しながら回転する第２ガイドローラと、
を備えたエレベーターのドア装置。
【請求項４】
エレベーター出入口の上方に設けられたドアレールと、
前記出入口を開閉するためのドアと、
前記ドアを吊り下げるドアハンガーと、
前記ドアハンガーに回転自在に設けられ、前記ドアレールの上面を転がることにより、前記ドアの開閉を案内するハンガーローラと、
前記ドアハンガーに設けられ、上下方向及び前記ハンガーローラの軸方向に前記ドアが変位することを抑制するための変位抑制装置と、
を備え、
前記変位抑制装置は、
前記ドアの開閉に伴い、前記ドアレールの下面に接触しながら回転する振れ止めローラと、
前記ドアの開閉に伴い、前記ドアレールの一側面に接触しながら回転する第１ガイドローラと、
前記ドアの開閉に伴い、前記ドアレールの他側面に接触しながら回転する第２ガイドローラと、
を備えたエレベーターのドア装置。
【請求項５】
前記変位抑制装置は、
前記ドアハンガーに固定された支持部材と、
を更に備え、
前記振れ止めローラと前記第１ガイドローラと前記第２ガイドローラとは、前記支持部材にそれぞれ回転自在に設けられた請求項４に記載のエレベーターのドア装置。
【請求項６】
前記支持体は、前記ドアレールが側面に固定された板状部材を有し、
前記変位抑制装置は、前記ドアレールに沿って配置された前記板状部材の下端部に各ローラを接触させて、前記ドアの変位を抑制する
請求項１又は請求項２に記載のエレベーターのドア装置
【請求項７】
前記変位抑制装置は、前記ドアハンガーの両側部にそれぞれ設けられた請求項１から請求項４の何れかに記載のエレベーターのドア装置。
【発明の詳細な説明】
【技術分野】
【０００１】
この発明は、エレベーターの乗場やかごに設置されるドア装置に関するものである。
【背景技術】
【０００２】
下記特許文献１には、エレベーターのドアに過大な力が作用した際にドアが外れてしまうことを防止するための技術が開示されている。具体的に、特許文献１に記載のドア装置では、ドアレールの側面に僅かな間隙Ｇを有して対向するように板材を配置し、ハンガーローラがドアレールから外れてしまうことを阻止している。
【先行技術文献】
【特許文献】
【０００３】
【特許文献１】日本特開昭５４−７５８３４号公報
【発明の概要】
【発明が解決しようとする課題】
【０００４】
超高層ビルに設置されたエレベーターでは、気圧の変化によって乗り心地が悪くなることを防止するため、エレベーターのかご内の圧力を制御しているものがある。また、エレベーターの乗場がトンネル内に設置されている場合は、高速に移動する乗物が通過する際に、エレベーターのドアが風圧を受けることがある。【０００５】
特許文献１に記載のドア装置がこのようなエレベーターに適用されると、上記圧力或いは風圧によってドアが押され、上記板材とドアレールとが接触する恐れがあった。なお、板材がドアレールに接触すると、ドアの開閉時に異音が発生してしまう。更に、ドアの走行抵抗が大きくなり、開閉に支障をきたす恐れもあった。【０００６】
図１０は従来のエレベーターのドア装置を示す側面図、図１１は、図１０に示すドア装置において、ドアに圧力が作用した時の状態を示す図である。【０００７】
図１０に示すように、エレベーターのドア１は、ドアハンガー２に吊り下げられている。２７は、その一部にドアレール２８が形成されたハンガーケースである。ドアハンガー２には、ハンガーローラ６が回転自在に設けられている。ドア１は、ハンガーローラ６がドアレール２８の上面を転がることにより、上端部の移動が案内される。
また、８はドア１の下端部に設けられたドアシューである。ドア１は、ドアシュー８が敷居４の溝内に配置されることにより、下端部の移動が案内される。【０００８】
上記構成のドア装置においてドア１に圧力が作用すると、図１１に示すように、ドアハンガー２が傾き、ドア１が変形してしまう。このため、ドア１と出入口を形成する縦枠２９との隙間が広がり、異物の引き込まれが発生し易くなるといった問題があった。また、図１１に示す向きとは逆方向に力が作用すると、ドア１と縦枠２９との隙間が狭まる、或いはなくなってしまう。このため、ドア１の開閉時に、ドア１の意匠面が傷付いたり、開閉自体が阻害されたりする恐れがあった。【０００９】
この発明は、上述のような課題を解決するためになされたもので、その目的は、風圧等によってドアに外力が作用した場合であっても、ドアの変位を適切に抑制することができるエレベーターのドア装置を提供することである。
【課題を解決するための手段】
【００１０】
この発明に係るエレベーターのドア装置は、エレベーター出入口の上方に設けられたドアレールと、出入口を開閉するためのドアと、ドアを吊り下げるドアハンガーと、ドアハンガーに回転自在に設けられ、ドアレールの上面を転がることにより、ドアの開閉を案内するハンガーローラと、ドアハンガーに設けられ、ドアの開閉に伴い、ドアレールの下面に接触しながら回転する振れ止めローラと、ドアレールを支持し、その一部が、ドアレールに沿って配置された支持体と、ドアハンガーに設けられ、ハンガーローラの軸方向にドアが変位することを抑制するための変位抑制装置と、を備え、変位抑制装置は、ドアの開閉に伴い、支持体の一部の一側面に接触しながら回転する第１ガイドローラと、ドアの開閉に伴い、支持体の一部の他側面に接触しながら回転する第２ガイドローラと、を備えたものである。【００１１】
また、この発明に係るエレベーターのドア装置は、エレベーター出入口の上方に設けられたドアレールと、出入口を開閉するためのドアと、ドアを吊り下げるドアハンガーと、ドアハンガーに回転自在に設けられ、ドアレールの上面を転がることにより、ドアの開閉を案内するハンガーローラと、ドアレールを支持し、その一部が、ドアレールに沿って配置された支持体と、ドアハンガーに設けられ、上下方向及びハンガーローラの軸方向にドアが変位することを抑制するための変位抑制装置と、を備え、変位抑制装置は、ドアの開閉に伴い、支持体の一部の下面に接触しながら回転する振れ止めローラと、ドアの開閉に伴い、支持体の一部の一側面に接触しながら回転する第１ガイドローラと、ドアの開閉に伴い、支持体の一部の他側面に接触しながら回転する第２ガイドローラと、を備えたものである。【００１２】
また、この発明に係るエレベーターのドア装置は、エレベーター出入口の上方に設けられたドアレールと、出入口を開閉するためのドアと、ドアを吊り下げるドアハンガーと、ドアハンガーに回転自在に設けられ、ドアレールの上面を転がることにより、ドアの開閉を案内するハンガーローラと、ドアハンガーに設けられ、ドアの開閉に伴い、ドアレールの下面に接触しながら回転する振れ止めローラと、ドアハンガーに設けられ、ハンガーローラの軸方向にドアが変位することを抑制するための変位抑制装置と、を備え、変位抑制装置は、ドアの開閉に伴い、ドアレールの一側面に接触しながら回転する第１ガイドローラと、ドアの開閉に伴い、ドアレールの他側面に接触しながら回転する第２ガイドローラと、を備えたものである。【００１３】
また、この発明に係るエレベーターのドア装置は、エレベーター出入口の上方に設けられたドアレールと、出入口を開閉するためのドアと、ドアを吊り下げるドアハンガーと、ドアハンガーに回転自在に設けられ、ドアレールの上面を転がることにより、ドアの開閉を案内するハンガーローラと、ドアハンガーに設けられ、上下方向及びハンガーローラの軸方向にドアが変位することを抑制するための変位抑制装置と、を備え、変位抑制装置は、ドアの開閉に伴い、ドアレールの下面に接触しながら回転する振れ止めローラと、ドアの開閉に伴い、ドアレールの一側面に接触しながら回転する第１ガイドローラと、ドアの開閉に伴い、ドアレールの他側面に接触しながら回転する第２ガイドローラと、を備えたものである。
【発明の効果】
【００１４】
この発明に係るエレベーターのドア装置であれば、風圧等によってドアに外力が作用した場合であっても、ドアの変位を適切に抑制することができるようになる。
【図面の簡単な説明】
【００１５】
【図１】この発明の実施の形態１におけるエレベーターのドア装置を示す正面図である。
【図２】この発明の実施の形態１におけるエレベーターのドア装置の要部を示す斜視図である。
【図３】この発明の実施の形態１におけるエレベーターのドア装置の要部を示す側面図である。
【図４】この発明の実施の形態２におけるエレベーターのドア装置の要部を示す斜視図である。
【図５】この発明の実施の形態２におけるエレベーターのドア装置の要部を示す側面図である。
【図６】この発明の実施の形態３におけるエレベーターのドア装置の要部を示す斜視図である。
【図７】この発明の実施の形態３におけるエレベーターのドア装置の要部を示す側面図である。
【図８】この発明の実施の形態４におけるエレベーターのドア装置の要部を示す斜視図である。
【図９】この発明の実施の形態４におけるエレベーターのドア装置の要部を示す側面図である。
【図１０】従来のエレベーターのドア装置を示す側面図である。
【図１１】ドアに圧力が作用した時の状態を示す図である。
【発明を実施するための形態】
【００１６】
この発明をより詳細に説明するため、添付の図面に従ってこれを説明する。なお、各図中、同一又は相当する部分には同一の符号を付しており、その重複説明は適宜に簡略化ないし省略する。
【００１７】
実施の形態１．
図１はこの発明の実施の形態１におけるエレベーターのドア装置を示す正面図、図２はこの発明の実施の形態１におけるエレベーターのドア装置の要部を示す斜視図、図３はこの発明の実施の形態１におけるエレベーターのドア装置の要部を示す側面図である。
【００１８】
図１乃至図３において、１はエレベーターの出入口を開閉するためのドア、２はドア１の上端部から上方に設けられたドアハンガーである。ドア１は、ドアハンガー２に吊り下げられている。ドア１は、その幅方向に移動して、出入口を開閉する。図１は、ドア１が両側に移動して出入口を開閉する両開き方式のドア装置の例を示している。
【００１９】
ドア１の開閉移動は、ドアレール３と敷居４とによって案内されている。
ドアレール３は、所定の固定体に固定された支持体５に支持されている。支持体５は、桁やハンガーケースからなり、例えば、昇降路壁や昇降路梁に固定される。ドアレール３は、エレベーターの出入口の上方において、その間口方向に水平に配置されている。
【００２０】
ドアハンガー２には、一対のハンガーローラ６と一対の振れ止めローラ７とが、双方向に回転自在となるように設けられている。
ハンガーローラ６は、ドア１の開閉方向と直交する方向に、水平な軸を有している。即ち、ハンガーローラ６の軸は、ドアレール３の長手方向にも直交する。ハンガーローラ６は、ドアレール３上に載せられており、ドアレール３の上面を転がることにより、ドア１の開閉を案内する。
【００２１】
振れ止めローラ７は、ドア１が上下方向に変位することを抑制するために備えられたものである。振れ止めローラ７は、ハンガーローラ６の軸と平行な水平軸を有している。振れ止めローラ７は、その外周面の上端が、ドアレール３に下方から接触するように配置されている。このため、振れ止めローラ７は、ドア１が開閉すると、ドアレール３の下面に接触しながら回転する。つまり、振れ止めローラ７は、ハンガーローラ６とによってドアレール３を上下から挟み込み、ドア１に振れが発生することを防止する。
【００２２】
敷居４は、ドア１の下端部の移動を案内するためのものである。敷居４には、ドア１の開閉方向に溝が形成されている。ドア１は、その下端部に、下方に突出するドアシュー８（図１乃至図３においては図示せず）が設けられている。このドアシュー８（の一部）が敷居４の溝の内部に配置されることにより、ドア１の下端部の移動が案内される。ドアシュー８は、ドア１の両側部に設けられている。
【００２３】
９はドアハンガー２の一側部と他側部とに設けられた変位抑制装置である。変位抑制装置９は、ハンガーローラ６の軸方向にドア１が変位することを抑制するためのものである。変位抑制装置９は、ドアハンガー２の下部、即ち、ドア１に近接する位置に配置されている。
以下に、特に図２及び図３を参照し、変位抑制装置９と、この変位抑制装置９に関連する上記支持体５との各詳細について説明する。
【００２４】
支持体５は、例えば、側面視Ｌ字を呈しており、垂直に配置された一方の板状部材５ａの一側面に、ドアレール３が設けられている。上記板状部材５ａは、ドアレール３に対して平行に配置されている。このため、板状部材５ａは、その下端部もドアレール３に沿って水平に配置されている。
【００２５】
変位抑制装置９は、支持部材１０と、一対のガイドローラ１１及び１２とにより、その要部が構成される。
支持部材１０は、例えば、Ｌ字状に折り曲げられた板材からなる。支持部材１０は、Ｌ字の一辺側が垂直方向に配置され、ドアハンガー２の側端面に固定される。支持部材１０のＬ字の他辺側は、板状部材５ａの下端部の僅か下方において、水平に配置される。
【００２６】
ガイドローラ１１及び１２は、支持部材１０の上記他辺側に、双方向に回転自在となるように設けられている。ガイドローラ１１及び１２は、それぞれ、垂直方向に軸を有している。一方のガイドローラ１１は、その外周面が、板状部材５ａの一側面に線接触するように配置されている。このため、ガイドローラ１１は、ドア１が開閉すると、板状部材５ａの一側面に接触しながら回転する。他方のガイドローラ１２は、その外周面が、板状部材５ａの上記一側面の裏面に線接触するように配置されている。このため、ガイドローラ１２は、ドア１が開閉すると、板状部材５ａの他側面（上記裏面）に接触しながら回転する。つまり、ガイドローラ１１及び１２は、板状部材５ａの下端部をその表裏から挟み込み、利用者の出入方向（ハンガーローラ６の軸方向に一致）にドア１が変位することを抑制する。
【００２７】
上記構成を有するドア装置であれば、風圧等によってドア１の側面に水平方向の外力が作用した場合であっても、ドア１の変位を適切に抑制することができる。
即ち、本ドア装置には、垂直方向に軸を有する一対のガイドローラ１１及び１２が、板状部材５ａの下端部をその表裏から挟み込むように設けられている。このため、ドア１の側面に対して水平方向の外力が作用した場合であっても、この外力を板状部材５ａによって受けることができ、ドアハンガー２に傾きが生じることはない。このため、ドア１に変形も生じない。
【００２８】
なお、ガイドローラ１１及び１２は、板状部材５ａの下端部に対し、線（或いは、僅かな幅の面）で接触している。また、ガイドローラ１１及び１２を有する変位抑制装置９は、ドアハンガー２の両側に、且つ、ドア１に近接する位置に設けられている。このため、ドア１に対して過大な外力が作用した場合であっても、ドア１が図１１に示すように湾曲してしまうことはない。
【００２９】
更に、ドア１に作用する水平方向の外力をガイドローラ１１及び１２を介して受けているため、上記外力がドア１に作用している時でも、ドア１の開閉に支障をきたすことはない。また、ガイドローラ１１及び１２によって上記外力を安定して受けることができ、ドア１の開閉時に異音が発生したり、ドア１の走行抵抗が大きくなったりする恐れもない。
【００３０】
実施の形態２．
図４はこの発明の実施の形態２におけるエレベーターのドア装置の要部を示す斜視図、図５はこの発明の実施の形態２におけるエレベーターのドア装置の要部を示す側面図である。
【００３１】
図４及び図５において、１３はドアハンガー２の一側部と他側部とに設けられた変位抑制装置である。変位抑制装置１３は、ハンガーローラ６の軸方向にドア１が変位することを抑制するためのものである。本実施の形態では、変位抑制装置１３は、支持体５ではなく、ドアレール３を利用して、ドア１の変位を抑制する。このため、変位抑制装置１３は、ドアレール３に近接する位置に配置されている。
【００３２】
変位抑制装置１３は、支持部材１４と、一対のガイドローラ１５及び１６とにより、その要部が構成される。
支持部材１４は、例えば、Ｌ字状に折り曲げられた板材からなる。支持部材１４は、Ｌ字の一辺側が垂直方向に配置され、ドアハンガー２の側端面に固定される。支持部材１４のＬ字の他辺側は、ドアレール３の僅か下方において、水平に配置される。
【００３３】
ガイドローラ１５及び１６は、支持部材１４の上記他辺側に、双方向に回転自在となるように設けられている。ガイドローラ１５及び１６は、それぞれ、垂直方向に軸を有している。一方のガイドローラ１５は、その外周面が、ドアレール３の一側面に線接触するように配置されている。このため、ガイドローラ１５は、ドア１が開閉すると、ドアレール３の一側面に接触しながら回転する。他方のガイドローラ１６は、その外周面が、ドアレール３の上記一側面の裏面に線接触するように配置されている。このため、ガイドローラ１６は、ドア１が開閉すると、ドアレール３の他側面（上記裏面）に接触しながら回転する。つまり、ガイドローラ１５及び１６は、ドアレール３の下端部をその表裏から挟み込み、利用者の出入方向（ハンガーローラ６の軸方向に一致）にドア１が変位することを抑制する。
【００３４】
その他は、実施の形態１と同様の構成を有している。
【００３５】
本実施の形態に示す構成であっても、実施の形態１と同様の効果を奏することができる。また、上記構成であれば、支持体５の配置や形状に影響を受けることなく、変位抑制装置１３によってドア１の変位を適切に抑制することができる。ドアレール３と支持体５との位置関係は、製造上及び据付上の誤差により、設計値からずれてしまう場合がある。本構成であれば、上記寸法誤差によってガイドローラ１５及び１６が空回りしたり、ガイドローラ１５及び１６の転がり抵抗が大きくなったりすることを確実に防止することができるようになる。
【００３６】
実施の形態３．
図６はこの発明の実施の形態３におけるエレベーターのドア装置の要部を示す斜視図、図７はこの発明の実施の形態３におけるエレベーターのドア装置の要部を示す側面図である。
【００３７】
図６及び図７に示すように、ドアハンガー２には、一対のハンガーローラ６が設けられているが、振れ止めローラ７は設けられていない。本実施の形態では、上記振れ止めローラ７の機能を、変位抑制装置１７に備えさせている。
【００３８】
変位抑制装置１７は、ドアハンガー２の一側部と他側部とに設けられている。変位抑制装置１７は、ハンガーローラ６の軸方向にドア１が変位することを抑制する機能に加え、ドア１が上下方向に変位することを抑制する機能も備えている。本実施の形態では、変位抑制装置１７は、支持体５を利用して、ドア１の変位を抑制する。このため、変位抑制装置１７は、支持体５に近接する位置に配置されている。
【００３９】
変位抑制装置１７は、支持部材１８と、振れ止めローラ１９と、一対のガイドローラ２０及び２１とにより、その要部が構成される。
支持部材１８は、例えば、平面視コ字状を呈するブロック材からなる。支持部材１８は、一側面がドアハンガー２の側端面に固定される。また、支持部材１８は、その要部が、板状部材５ａの下方に配置されている。
【００４０】
振れ止めローラ１９は、ハンガーローラ６の軸と平行な水平軸を有している。振れ止めローラ１９は、その外周面の上端が、支持体５の板状部材５ａに下方から接触するように配置されている。このため、振れ止めローラ１９は、ドア１が開閉すると、板状部材５ａの下端面に接触しながら回転する。つまり、振れ止めローラ１９は、ハンガーローラ６とにより、ドアレール３及び板状部材５ａからなる一体物を上下から挟み込み、ドア１に振れが発生することを防止する。
【００４１】
ガイドローラ２０及び２１は、支持部材１８の上面に、双方向に回転自在となるように設けられている。ガイドローラ２０及び２１は、それぞれ、垂直方向に軸を有している。一方のガイドローラ２０は、その外周面が、板状部材５ａの一側面に線接触するように配置されている。このため、ガイドローラ２０は、ドア１が開閉すると、板状部材５ａの一側面に接触しながら回転する。他方のガイドローラ２１は、その外周面が、板状部材５ａの上記一側面の裏面に線接触するように配置されている。このため、ガイドローラ２１は、ドア１が開閉すると、板状部材５ａの他側面（上記裏面）に接触しながら回転する。つまり、ガイドローラ２０及び２１は、板状部材５ａの下端部をその表裏から挟み込み、利用者の出入方向（ハンガーローラ６の軸方向に一致）にドア１が変位することを抑制する。
【００４２】
その他は、実施の形態１と同様の構成を有している。
【００４３】
本実施の形態に示す構成であっても、実施の形態１と同様の効果を奏することができる。また、上記構成であれば、ドアハンガー２に振れ止めローラ７が備えられていないドア装置にも適用できる。更に、振れ止めローラ１９を変位抑制装置１７内に一体的に構成しているため、製作コストを抑えることが可能となる。
【００４４】
実施の形態４．
図８はこの発明の実施の形態４におけるエレベーターのドア装置の要部を示す斜視図、図９はこの発明の実施の形態４におけるエレベーターのドア装置の要部を示す側面図である。
【００４５】
図８及び図９において、２２はドアハンガー２の一側部と他側部とに設けられた変位抑制装置である。本実施の形態においても、ドアハンガー２には、振れ止めローラ７が設けられていない。振れ止めローラ７の機能は、変位抑制装置２２に備えられている。変位抑制装置２２は、上下方向及びハンガーローラ６の軸方向にドア１が変位することを抑制するためのものである。変位抑制装置２２は、支持体５ではなく、ドアレール３を利用して、ドア１の変位を抑制する。このため、変位抑制装置２２は、ドアレール３に近接する位置に配置されている。
【００４６】
変位抑制装置２２は、支持部材２３と、振れ止めローラ２４と、一対のガイドローラ２５及び２６とにより、その要部が構成される。
支持部材２３は、例えば、平面視コ字状を呈するブロック材からなる。支持部材２３は、一側面がドアハンガー２の側端面に固定される。また、支持部材２３は、その要部が、ドアレール３の下方に配置されている。
【００４７】
振れ止めローラ２４は、ハンガーローラ６の軸と平行な水平軸を有している。振れ止めローラ２４は、その外周面の上端が、ドアレール３に下方から接触するように配置されている。このため、振れ止めローラ２４は、ドア１が開閉すると、ドアレール３の下面に接触しながら回転する。つまり、振れ止めローラ２４は、ハンガーローラ６とによってドアレール３を上下から挟み込み、ドア１に振れが発生することを防止する。
【００４８】
ガイドローラ２５及び２６は、支持部材２３の上面に、双方向に回転自在にとなるように設けられている。ガイドローラ２５及び２６は、それぞれ、垂直方向に軸を有している。一方のガイドローラ２５は、その外周面が、ドアレール３の一側面に線接触するように配置されている。このため、ガイドローラ２５は、ドア１が開閉すると、ドアレール３の一側面に接触しながら回転する。他方のガイドローラ２６は、その外周面が、ドアレール３の上記一側面の裏面に線接触するように配置されている。このため、ガイドローラ２６は、ドア１が開閉すると、ドアレール３の他側面（上記裏面）に接触しながら回転する。つまり、ガイドローラ２５及び２６は、ドアレール３の下端部をその表裏から挟み込み、利用者の出入方向（ハンガーローラ６の軸方向に一致）にドア１が変位することを抑制する。
【００４９】
その他は、実施の形態１と同様の構成を有している。
本実施の形態に示す構成であれば、実施の形態１乃至３で示した各効果を奏することが可能である。
【産業上の利用可能性】
【００５０】
この発明に係るエレベーターのドア装置は、エレベーターの乗場或いはかごに設置されるものである。本ドア装置は、特に、室内の圧力制御が行われるエレベーターのかごや、トンネル内に設置されたエレベーター乗場等に好適である。
【符号の説明】
【００５１】
１  ドア
２  ドアハンガー
３、２８  ドアレール
４  敷居
５  支持体
５ａ  板状部材
６  ハンガーローラ
７、１９、２４  振れ止めローラ
８  ドアシュー
９、１３、１７、２２  変位抑制装置
１０、１４、１８、２３  支持部材
１１、１２、１５、１６、２０、２１、２５、２６  ガイドローラ
２７  ハンガーケース
２９  縦枠
【図１】
2012086069.tif 000003
【図２】
2012086069.tif 000004
【図３】
2012086069.tif 000005
【図４】
2012086069.tif 000006
【図５】
2012086069.tif 000007
【図６】
2012086069.tif 000008
【図７】
2012086069.tif 000009
【図８】
2012086069.tif 000010
【図９】
2012086069.tif 000011
【図１０】
2012086069.tif 000012
【図１１】
2012086069.tif 000013
【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
エレベーター出入口の上方に設けられたドアレールと、
前記出入口を開閉するためのドアと、
前記ドアを吊り下げるドアハンガーと、
前記ドアハンガーに回転自在に設けられ、前記ドアレールの上面を転がることにより、前記ドアの開閉を案内するハンガーローラと、
前記ドアハンガーに設けられ、前記ドアの開閉に伴い、前記ドアレールの下面に接触しながら回転する振れ止めローラと、
前記ドアレールを支持し、その一部が、前記ドアレールに沿って配置された支持体と、
前記ドアハンガーに設けられ、前記ハンガーローラの軸方向に前記ドアが変位することを抑制するための変位抑制装置と、
を備え、
前記変位抑制装置は、
前記ドアの開閉に伴い、前記支持体の前記一部の一側面に接触しながら回転する第１ガイドローラと、
前記ドアの開閉に伴い、前記支持体の前記一部の他側面に接触しながら回転する第２ガイドローラと、
を備えたエレベーターのドア装置。
【請求項２】
エレベーター出入口の上方に設けられたドアレールと、
前記出入口を開閉するためのドアと、
前記ドアを吊り下げるドアハンガーと、
前記ドアハンガーに回転自在に設けられ、前記ドアレールの上面を転がることにより、前記ドアの開閉を案内するハンガーローラと、
前記ドアレールを支持し、その一部が、前記ドアレールに沿って配置された支持体と、
前記ドアハンガーに設けられ、上下方向及び前記ハンガーローラの軸方向に前記ドアが変位することを抑制するための変位抑制装置と、
を備え、
前記変位抑制装置は、
前記ドアの開閉に伴い、前記支持体の前記一部の下面に接触しながら回転する振れ止めローラと、
前記ドアの開閉に伴い、前記支持体の前記一部の一側面に接触しながら回転する第１ガイドローラと、
前記ドアの開閉に伴い、前記支持体の前記一部の他側面に接触しながら回転する第２ガイドローラと、
を備えたエレベーターのドア装置。
【請求項３】
前記支持体は、前記ドアレールが側面に固定された板状部材を有し、
前記変位抑制装置は、前記ドアレールに沿って配置された前記板状部材の下端部に各ローラを接触させて、前記ドアの変位を抑制する
請求項１又は請求項２に記載のエレベーターのドア装置。
【請求項４】
前記変位抑制装置は、前記ドアハンガーの両側部にそれぞれ設けられた請求項１から請求項３の何れか一項に記載のエレベーターのドア装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【国際調査報告】
2012086069.tif 000014
2012086069.tif 000015